(57)【特許請求の範囲】
【請求項１】
複数の分割体で構成され、ゴム栓を抜け止めするリテーナと、
前記リテーナが装着されるリテーナ装着部を有するハウジングとを備え、
前記リテーナ装着部は、前記複数の分割体のうち第１分割体が装着される第１装着部と、同第２分割体が装着される第２装着部とを有し、
前記第１装着部に装着された前記第１分割体と前記第２装着部に装着された前記第２分割体とは、互いに対向する対向面をそれぞれ有し、
前記第１分割体は、前記対向面を基準として前記第２分割体側に突出する形状をなす突出部と、前記対向面に隣り合う背面に設けられたセンサ検知部とを備えるとともに、前記第２分割体は、前記突出部が嵌合する凹部を備え、
前記複数の分割体にはロック片が設けられており、
前記ロック片が前記リテーナ装着部に設けられたロック突部に係止することで前記複数の分割体がリテーナ装着部に固定され、前記複数の分割体によって前記ゴム栓が抜け止めされるようになっており、
前記リテーナは、前記リテーナの中心から延びる３つの分割ラインの位置で分割される前記第１分割体と、前記第２分割体と、第３分割体とによって構成されているコネクタ。
【請求項２】
前記リテーナは、電線を通す貫通孔を有し、前記貫通孔は、前記第１分割体に設けられた第１半円部と、前記第２分割体に設けられた第２半円部とによって囲まれた空間とされ、前記センサ検知部は、前記第１分割体の背面から前記電線の軸方向に突出する形態をなす請求項１に記載のコネクタ。
【請求項３】
前記突出部は、前記第１半円部の両側に一対設けられ、前記凹部は、前記第２半円部の両側に一対設けられている請求項２に記載のコネクタ。
【発明の詳細な説明】
【技術分野】
【０００１】
本明細書によって開示される技術は、コネクタに関する。
【背景技術】
【０００２】
従来、ゴム栓を抜け止めするバックリテーナを備えたコネクタとして、例えば特開２０１２−２３８４６６号公報（下記特許文献１）に記載のシールドコネクタが知られている。このシールドコネクタは、合成樹脂製の電線側ハウジングを有し、電線側ハウジングの内部には、電線側端子を収容する電線側キャビティが設けられている。電線側キャビティの後方には、シールド電線が収容される電線挿通孔が連設され、電線挿通孔の内部にはゴム栓が収容されている。電線側ハウジングの後端部には、複数の分割体を組み合わせて構成されたバックリテーナが装着されている。このバックリテーナによってゴム栓が抜け止めされている。
【０００３】
バックリテーナは、ゴム栓に対して後方から当接する円筒状の押さえ部を有しており、この押さえ部の内部には、電線を挿通させる貫通孔が設けられている。この貫通孔は、隣り合う一対の分割体にそれぞれ凹設された一対の半円部を合わせることによって構成されるようになっている。この半円部の大きさは、使用されるシールド電線の径寸法に合わせて決められており、シールド電線の径寸法が変更になれば、バックリテーナも新たに作り直す必要がある。
【先行技術文献】
【特許文献】
【０００４】
【特許文献１】特開２０１２−２３８４６６号公報
【発明の概要】
【発明が解決しようとする課題】
【０００５】
ところで、シールドコネクタに使用される各シールド電線の径寸法が全て同じであればバックリテーナを構成する各分割体が同じ形状となるため、分割体の種類が１つで済むところ、各シールド電線の径寸法が異なる場合には、各分割体の形状が異なるため、誤組発生の要因となり得る。
【課題を解決するための手段】
【０００６】
本明細書によって開示されるコネクタは、複数の分割体で構成されたリテーナと、前記リテーナが装着されるリテーナ装着部を有するハウジングとを備え、前記リテーナ装着部は、前記複数の分割体のうち第１分割体が装着される第１装着部と、同第２分割体が装着される第２装着部とを有し、前記第１装着部に装着された前記第１分割体と前記第２装着部に装着された前記第２分割体とは、互いに対向する対向面をそれぞれ有し、前記第１分割体は、前記対向面を基準として前記第２分割体側に突出する形状をなす突出部と、前記対向面に隣り合う背面に設けられたセンサ検知部とを備えるとともに、前記第２分割体は、前記突出部が嵌合する凹部を備える構成とした。
【０００７】
このような構成によると、第１装着部に誤ってセンサ検知部のない既存品を組み付けてしまった場合、センサによって誤組であることが検知される。また、第１装着部に第１分割体を組み付けた後、第２装着部に誤って凹部のない既存品を組み付けようとすると、既存品が突出部に干渉することで誤組であることが検知される。さらに、第２装着部に誤って既存品を組み付けた後、第１装着部に第１分割体を組み付けようとすると、第１分割体の突出部が既存品に干渉することで誤組であることが検知される。このように、第２装着部に第２分割体が装着されたことを確認する手段としてセンサ等の検査設備を導入しなくてもよい。
【０００８】
本明細書のコネクタは、以下の構成としてもよい。
前記リテーナは、複数の電線を通す複数の貫通孔を有し、前記貫通孔は、前記第１分割体に設けられた第１半円部と、前記第２分割体に設けられた第２半円部とによって囲まれた空間とされ、前記センサ検知部は、前記第１分割体の背面から前記電線の軸方向に突出する形態をなす構成としてもよい。
このような構成によると、接触式センサによってセンサ検知部の有無を感知することで誤組であることを検知できる。
【０００９】
前記突出部は、前記第１半円部の両側に一対設けられ、前記凹部は、前記第２半円部の両側に一対設けられている構成としてもよい。
このような構成によると、一対の突出部が一対の凹部に嵌合することで誤組でないことが検知される。
【発明の効果】
【００１０】
本明細書によって開示されるコネクタによれば、センサ検知部と突出部および凹部との組合せによって、既存品との誤組防止が可能になる。
【図面の簡単な説明】
【００１１】
【図１】実施形態における防水コネクタの斜視図
【図２】リテーナを取り付ける前の防水コネクタの背面図
【図３】リテーナを取り付けた後の防水コネクタの背面図
【図４】各分割体を組み付ける前のリテーナの背面図
【図５】各分割体を組み付けた後のリテーナの背面図
【図６】既存品に第１分割体を組み付けようとした状態を示した図
【図７】第１分割体に既存品を組み付けようとした状態を示した図
【発明を実施するための形態】
【００１２】
＜実施形態＞
実施形態を図１から図７の図面を参照しながら説明する。本実施形態の防水コネクタ１０は、図１に示すように、嵌合ボルトＢを有しており、図示しない機器側のケースに対して嵌合ボルトＢを締め込むことにより、機器側のケースに固定された機器側コネクタと嵌合可能とされている。なお、以下の説明において前後方向とは両コネクタ１０の嵌合方向を基準とし、互いの嵌合面側を前側とする。
【００１３】
防水コネクタ１０は、合成樹脂製のハウジング１１を有し、このハウジング１１の内部には、図示３つの端子１２が内部に収容される図示３つの端子収容部１３が設けられている。端子１２は、略円筒状をなす端子接続部を有し、この端子接続部は、スリットによって互いに分割された３つの接続片からなる。端子１２の後側には、電線Ｗが圧着接続される電線接続部が設けられている。
【００１４】
図２に示すように、ハウジング１１における端子収容部１３の後方には、電線Ｗとゴム栓２０が内部に収容される電線収容部１５が設けられている。端子収容部１３の内部空間と電線収容部１５の内部空間とは、互いに連通している。ゴム栓２０は、電線Ｗの外周面に密着する複数条の内周リップ２１と、電線収容部１５の内周面に密着する複数条の外周リップ２２とを備えている。このため、電線Ｗにゴム栓２０を先通ししておき、端子１２を端子収容部１３に後方から挿入した後、ゴム栓２０を電線収容部１５に後方から挿入すると、ゴム栓２０が電線Ｗの外周面と電線収容部１５の内周面とに密着する。この後、バックリテーナ３０をハウジング１１に後方から装着することでゴム栓２０が抜け止めされる。これにより、電線収容部１５からハウジング１１の内部への浸水が防止される。
【００１５】
図２および図３に示すように、ハウジング１１における電線収容部１５の周囲には、バックリテーナ３０が装着されるリテーナ装着部１４が設けられている。バックリテーナ３０は、図３および図４に示すように、第１分割体３１と、第２分割体３２と、第３分割体３３とによって構成されている。バックリテーナ３０は、全体として略三角形状をなしており、各頂点部が丸みを帯びた形状とされている。また、バックリテーナ３０の各頂点部から中心に向かう３つの分割ラインＤ１、Ｄ２、Ｄ３の位置で各分割体３１、３２、３３に分割されている。
【００１６】
第１分割体３１と第２分割体３２は分割ラインＤ１の位置で分割され、第２分割体３２と第３分割体３３は分割ラインＤ２の位置で分割され、第３分割体３３と第１分割体３１は分割ラインＤ３の位置で分割されている。第１分割体３１は、分割ラインＤ１の位置で第２分割体３２と対向する対向面３１Ａを有している。第２分割体３２は、分割ラインＤ１の位置で第１分割体３１と対向する対向面３２Ａを有している。すなわち、第１分割体３１の対向面３１Ａと第２分割体３２の対向面３２Ａとは、分割ラインＤ１の位置で互いに対向している。
【００１７】
バックリテーナ３０は、各分割ラインＤ１、Ｄ２、Ｄ３の位置で複数の電線Ｗを通す複数の貫通孔３４、３５、３６を有している。分割ラインＤ１の位置に配された貫通孔３４は、例えば３０ｓｑの大径の電線Ｗを通すものとされ、分割ラインＤ２の位置に配された貫通孔３５と分割ラインＤ３の位置に配された貫通孔３６とは、貫通孔３４よりも小径でともに同じ大きさとされ、例えば２０ｓｑの電線Ｗを通すものとされている。
【００１８】
大径の貫通孔３４は、第１分割体３１の対向面３１Ａに設けられた第１半円部３１Ｄと、第２分割体３２の対向面３２Ａに設けられた第２半円部３２Ｃとによって囲まれた空間とされている。小径の貫通孔３５は、第２分割体３２に設けられた第３半円部３２Ｄと、第３分割体３３に設けられた第４半円部３３Ａとによって囲まれた空間とされている。また、小径の貫通孔３６は、第３分割体３３に設けられた第５半円部３３Ｂと、第１分割体３１に設けられた第６半円部３１Ｅとによって囲まれた空間とされている。
【００１９】
また、各分割体３１、３２、３３の外周側縁において各貫通孔３４、３５、３６と対応する位置には、一対のロック片３７がそれぞれ設けられている。これらのロック片３７は、図３に示すように、リテーナ装着部１４の外周面に設けられた複数のロック突部１４Ａに係止するようになっている。これにより、各分割体３１、３２、３３がリテーナ装着部１４に固定されるようになっている。したがって、各分割体３１、３２、３３によってゴム栓２０の抜け止めを行うことができる。
【００２０】
さて、本実施形態のバックリテーナ３０は、３つの異なる分割体３１、３２、３３で構成されており、３つの分割体３１、３２、３３のうち第３分割体３３については既存品を流用したものとされている。一方、バックリテーナ３０が装着されるリテーナ装着部１４は、第１分割体３１が装着される第１装着部１６と、第２分割体３２が装着される第２装着部１７と、第３分割体３３が装着される第３装着部１８とを有し、図２に示すように、各装着部１６、１７、１８は、同じ形状とされている。したがって、第３分割体３３を誤って第１装着部１６に装着したり、第３分割体３３を誤って第２装着部１７に装着したりするといった誤組が発生するおそれがある。
【００２１】
第１分割体３１が第１装着部１６に装着されたことの確認は、接触式センサを用いて行われる。このために第１分割体３１には、センサ検知部３８が設けられている。センサ検知部３８は突起として構成され、第１分割体３１における対向面３１Ａに隣り合う背面３１Ｂから後方に（電線Ｗの軸方向に）突出する形態とされている。接触式センサがセンサ検知部３８を感知してセンサ検知部３８が有ると判断された場合、第１分割体３１が第１装着部１６に正しく装着されていることが検知され、センサ検知部３８が無いと判断された場合、誤組が発生していることが検知される。なお、第３分割体３３が第３装着部１８に装着されたことの確認は、カラーセンサを用いて行われる。
【００２２】
次に、第２分割体３２が第２装着部１７に装着されたことの確認は、センサではなく、第１分割体３１に設けられた突出部３１Ｃと第２分割体３２に設けられた凹部３２Ｂとの嵌合可否によって行われる。突出部３１Ｃは、第１分割体３１の対向面３１Ａにおける第１半円部３１Ｄの両側に一対設けられ、凹部３２Ｂは、第２分割体３２の対向面３２Ａにおける第２半円部３２Ｃの両側に一対設けられている。突出部３１Ｃは、対向面３１Ａを基準として第２分割体３２側に突出する形状をなしている。第１分割体３１が第１装着部１６に装着され、かつ、第２分割体３２が第２装着部１７に装着されると、図３に示すように、一対の突出部３１Ｃが一対の凹部３２Ｂに嵌まり込み、各ロック片３７が各ロック突部１４Ａに係止するため、第１分割体３１と第２分割体３２が正しい装着位置で装着されたことが検知される。
【００２３】
次に、図６に示すように、第３分割体３３を誤って第２装着部１７に装着した後、第１分割体３１を第１装着部１６に装着しようとした場合、一対の突出部３１Ｃが第３分割体３３に干渉することで第１分割体３１の装着が阻害される。これにより、第３分割体３３の誤組が検知される。また、図７に示すように、第１分割体３１を第１装着部１６に装着した後、第３分割体３３を誤って第２装着部１７に装着しようとした場合、第３分割体３３が一対の突出部３１Ｃに干渉することで第３分割体３３の装着が阻害される。これにより、第３分割体３３の誤組が検知される。
【００２４】
以上のように本実施形態では、第１装着部１６に誤ってセンサ検知部３８のない既存品を組み付けてしまった場合、センサによって誤組であることが検知される。また、第１装着部１６に第１分割体３１を組み付けた後、第２装着部１７に誤って凹部のない既存品を組み付けようとすると、既存品が突出部３１Ｃに干渉することで誤組であることが検知される。さらに、第２装着部１７に誤って既存品を組み付けた後、第１装着部１６に第１分割体３１を組み付けようとすると、第１分割体３１の突出部３１Ｃが既存品に干渉することで誤組であることが検知される。このように、第２装着部１７に第２分割体３２が装着されたことを確認する手段としてセンサ等の検査設備を導入しなくてもよい。
【００２５】
リテーナ（バックリテーナ３０）は、電線Ｗを通す貫通孔３４を有し、貫通孔３４は、第１分割体３１に設けられた第１半円部３１Ｄと、第２分割体３２に設けられた第２半円部３２Ｃとによって囲まれた空間とされ、センサ検知部３８は、第１分割体３１の背面３１Ｂから電線Ｗの軸方向に突出する形態をなす構成としてもよい。
このような構成によると、接触式センサによってセンサ検知部３８の有無を感知することで誤組であることを検知できる。
【００２６】
突出部３１Ｃは、第１半円部３１Ｄの両側に一対設けられ、凹部３２Ｂは、第２半円部３２Ｃの両側に一対設けられている構成としてもよい。
このような構成によると、一対の突出部３１Ｃが一対の凹部３２Ｂに嵌合することで誤組でないことが検知される。
【００２７】
＜他の実施形態＞
本明細書によって開示される技術は上記記述及び図面によって説明した実施形態に限定されるものではなく、例えば次のような種々の態様も含まれる。
（１）上記実施形態では接触式センサによってセンサ検知部３８の有無を感知しているものの、カラーセンサによって感知されるセンサ検知部としてもよい。
【００２８】
（２）上記実施形態では一対の突出部３１Ｃが一対の凹部３２Ｂに嵌まり込む構成としているものの、１つの突出部が１つの凹部に嵌まり込む構成としてもよい。
【００２９】
（３）上記実施形態ではバックリテーナ３０が３つの分割体３１、３２、３３で構成されているものの、２つの分割体で構成されるバックリテーナをリテーナとしてもよい。
【００３０】
（４）上記実施形態ではリテーナの一例としてゴム栓２０を抜け止めするバックリテーナ３０を開示しているものの、ゴム栓２０以外の部材（例えば電線）を保持するリテーナとしてもよい。
【符号の説明】
【００３１】
１０…防水コネクタ
１１…ハウジング
１４…リテーナ装着部
１５…第１装着部
１６…第２装着部
３０…バックリテーナ
３１…第１分割体
３１Ａ…対向面
３１Ｂ…背面
３１Ｃ…突出部
３１Ｄ…第１半円部
３２…第２分割体
３２Ａ…対向面
３２Ｂ…凹部
３２Ｃ…第２半円部
３４…貫通孔
３８…センサ検知部
Ｗ…電線
【図１】
0006409717.tif 000002
【図２】
0006409717.tif 000003
【図３】
0006409717.tif 000004
【図４】
0006409717.tif 000005
【図５】
0006409717.tif 000006
【図６】
0006409717.tif 000007
【図７】
0006409717.tif 000008